(57)【要約】【課題】トレー内に血液フィルタ付血液バッグをコンパクトに収納できるとともに、血液フィルタ付血液バッグとトレーの無菌保証ができる血液フィルタ付血液バッグの包装体を提供すること。【解決手段】血液フィルタ付血液バッグ（２）とトレー（１５）と包装袋（１８）からなり、血液フィルタ付血液バッグ（２）は少なくとも血液フィルタ（３）と親バッグ（４）と一つ以上の子バッグ（５、６）からなり、前記親バッグ（４）と前記子バッグ（５、６）は積み重ねてトレー（１５）の空間に配置し、前記血液フィルタ（３）は前記積み重ねたバッグ（４、５、６）を配置していないトレー（１５）内の空間に配置し、前記トレー（１５）を包装袋（１８）で包装した血液フィルタ付血液バッグの包装体（１）。【選択図】図１
0003123126.tif 000002
【実用新案登録請求の範囲】
【請求項１】
血液フィルタ付血液バッグ（２）とトレー（１５）と包装袋（１８）からなり、
血液フィルタ付血液バッグ（２）は少なくとも血液フィルタ（３）と親バッグ（４）と一つ以上の子バッグ（５、６）からなり、
前記親バッグ（４）と前記子バッグ（５、６）は積み重ねてトレー（１５）の空間に配置し、前記血液フィルタ（３）は前記積み重ねたバッグ（４、５、６）を配置していないトレー（１５）内の空間に配置し、
前記トレー（１５）を包装袋（１８）で包装したことを特徴とする血液フィルタ付血液バッグの包装体（１）。
【請求項２】
血液フィルタ付血液バッグ（２）は真空採血管ホルダ（９）と前記針カバー（１０）を有し、
前記真空採血管ホルダ（９）と前記針カバー（１０）はトレー（１５）内の前記積み重ねたバッグ（４、５、６）と血液フィルタ（３）を配置していない空間に配置することを特徴とする請求項１記載の血液フィルタ付血液バッグの包装体（１）。
【請求項３】
トレー（１５）に複数の貫通孔（１６）を設けたことを特徴とする請求項１記載の血液フィルタ付血液バッグの包装体（１）。
【請求項４】
トレー（１５）内に吸水紙（１７）を収納したことを特徴とする請求項１または請求項２記載の血液フィルタ付血液バッグの包装体（１）。
【考案の詳細な説明】
【技術分野】
【０００１】
本考案は薬液等を入れた医療用血液フィルタ付血液バッグの包装体に関するものである。
【背景技術】
【０００２】
本考案の出願人は、血液フィルタ付血液バッグの包装体として特許文献１を発明した。要するに血液フィルタ付血液バッグのバッグ類を積み重ね包装袋に包装する包装体である。この包装体を高圧蒸気滅菌することで血液バッグ表面の無菌保証をする。使用時は、包装袋を破って血液フィルタ付血液バッグを取り出す。このとき積み重ねたバッグや血液フィルタ等がばらつくため操作性に優れない。
【０００３】
使用時に包装袋を破り、トレーに収納した血液バッグを取り出す包装体として特許文献２が開示されている。要するに、血液バッグをトレーの収納空間内に収納し、脱酸素材収納部に脱酸素材を収納して、可撓性袋（本発明の包装袋１８に相当）で包装している。脱酸素材は、包装された状態の血液バッグと可撓性袋との空間の酸素を吸収し、かび等の微生物の発生を防止するために使用されている。
トレーに血液バッグと脱酸素材を収納し、可撓性袋で包装した状態で高圧蒸気滅菌した場合、脱酸素材は滅菌中に多くの酸素を吸収するため、滅菌後には酸素を吸収できず機能しなくなる。このため滅菌した血液バッグをトレーに収納し、可撓性袋で包装しなければならない。
しかし、滅菌された血液バッグの内面は無菌保証できるが、血液バッグの表面は血液バッグをトレーや可撓性袋に収納する際に菌が付着等するおそれがある。
【０００４】
【特許文献１】特開Ｈ２００１−７０４４３号公報（図２、図４参照）
【特許文献２】特公Ｈ０３−４９４７２号公報（図１、図２参照）
【考案の開示】
【考案が解決しようとする課題】
【０００５】
本考案が解決しようとする問題点は、特許文献２では、血液バッグとトレーの無菌保証ができない点であり、特許文献１では、使用時に包装袋を破って血液フィルタ付血液バッグを取り出す際に積み重ねたバッグや血液フィルタ等がばらつき操作性に優れない点である。
【課題を解決するための手段】
【０００６】
そこで本考案者は、以上の課題を解決するために鋭意検討を重ねた結果、以下の考案に到達した。
［１］本考案は、血液フィルタ付血液バッグ（２）とトレー（１５）と包装袋（１８）からなり、
血液フィルタ付血液バッグ（２）は少なくとも血液フィルタ（３）と親バッグ（４）と一つ以上の子バッグ（５、６）からなり、
前記親バッグ（４）と前記子バッグ（５、６）は積み重ねてトレー（１５）の空間に配置し、前記血液フィルタ（３）は前記積み重ねたバッグ（４、５、６）を配置していないトレー（１５）内の空間に配置し、
前記トレー（１５）を包装袋（１８）で包装した血液フィルタ付血液バッグの包装体（１）を提供する。
［２］本考案は、血液フィルタ付血液バッグ（２）は真空採血管ホルダ（９）と前記針カバー（１０）を有し、
前記真空採血管ホルダ（９）と前記針カバー（１０）はトレー（１５）内の前記積み重ねたバッグ（４、５、６）と血液フィルタ（３）を配置していない空間に配置する［１］記載の血液フィルタ付血液バッグの包装体（１）を提供する。
［３］本考案は、トレー（１５）に複数の貫通孔（１６）を設けた［１］記載の血液フィルタ付血液バッグの包装体（１）を提供する。
［４］本考案は、トレー（１５）内に吸水紙（１７）を収納した［１］または［２］記載の血液フィルタ付血液バッグの包装体（１）を提供する。
【考案の効果】
【０００７】
本考案の血液フィルタ付血液バッグの包装体１は、前記親バッグ４と前記子バッグは積み重ねてトレー１５の空間に配置し、血液フィルタ３は積み重ねたバッグ類４、５、６を配置していないトレー１５内の空間に配置し、さらに好ましくは、前記真空採血管ホルダ９と前記針カバー１０はトレー１５内の積み重ねたバッグと血液フィルタ３を配置していない空間に配置し、トレー１５に収納した血液フィルタ付血液バッグ２を包装袋１８で包装することで、
（１）トレー１５内に血液フィルタ付血液バッグ２をコンパクトに収納できる。使用時は、包装袋１８を破り、トレー１５に血液フィルタ付血液バッグ２を収納した状態で取り出せるため、積み重ねたバッグや血液フィルタ等のばらつきがなく操作性に優れる。
（２）トレー１５に血液フィルタ付血液バッグ２を収納し包装した状態で高圧蒸気滅菌することができるため、血液フィルタ付血液バッグ２とトレー１５の無菌保証ができる。
【考案を実施するための最良の形態】
【０００８】
図１は血液フィルタ付血液バッグ２の概略図、図２は本発明の血液フィルタ付血液バッグの包装体１の平面図、図３（ａ）は図２のＡ−Ａ断面の概略図、図３（ｂ）は図２のＢ−Ｂ断面の概略図、図４はトレー１５の実施例を示す概略図、図５はその他の実施例を示す血液フィルタ付血液バッグの包装体１の平面図、図６（ａ）は図５のＣ−Ｃ断面の概略図、図６（ｂ）は図５のＤ−Ｄ断面の概略図である。
本考案の血液フィルタ付血液バッグの包装体１は、血液フィルタ付血液バッグ２とトレー１５と包装袋１８からなる。
【０００９】
［血液フィルタ付血液バッグ２］
血液フィルタ付血液バッグ２は、図１に例示するように血液フィルタ３と親バッグ４と第１子バッグ５と第２子バッグ６と赤血球保存液入りバッグ７からなる。
親バッグ４の上流には、親バッグ４からチューブＴを介して連通ピース１２と分岐管１３と採血針８に接続してある。分岐管１３のもう一方はチューブＴを介してクランプ１１と血液検査用バッグ１４と真空採血管ホルダ９に接続している。真空採血管ホルダ９は、血液検査用バッグ１４内の血液を採取するものである。針カバー１０は、採血針８に接続しているチューブＴ上を自在に移動できるように取付けられている。針カバー１０は、採血後に採血針８の誤針防止のカバーになり、真空採血管ホルダ９に挿入して廃棄する。
親バッグ４の下流には、親バッグ４からチューブＴを介して順に血液フィルタ３と第一の子バッグ５を接続している。第一の子バッグ５は、チューブＴを介して分岐管１３が接続されてあり、分岐管１３の一方はチューブＴを介して第二の子バッグ６に接続あり、もう一方はチューブＴを介して赤血球保存液入りバッグ７に接続している。血液フィルタ３は、主として白血球除去フィルタである。白血球は、血液中の白血球にはいろいろな型があり、輸血などでその型が合わなければ発熱などの副作用が生じるため白血球除去フィルタで駆除する。血液フィルタ付血液バッグ２のバッグ類の材質は、ポリオレフィンや塩化ビニル等の可撓性合成樹脂からなる。親バッグ４と赤血球保存液入りバッグ７は、例えばＡＣＤ液、ＣＰＤ液、ＭＡＰ液のような抗凝固剤が収納されている。抗凝固剤の作用により採血時または輸血時における血液の凝固を防止している。またクランプ１１は、血液の流れを停止または血液流量を調整するものであり、図１に例示するようにチューブＴ上を自在に移動できるように複数取付けている。
【００１０】
［血液フィルタ付血液バッグの包装体１］
血液フィルタ付血液バッグの包装体１は、トレー１５の空間に親バッグ４を配置する。その上に赤血球保存液入りバッグ７、第２子バッグ６、第１子バッグ５を同一方向に積み重ねる。図２に例示するように、積み重ねたバッグ４、５、６、７の一端が、トレー１５の内周壁面に接触するように配置することが好ましい。積み重ねたバッグ４、５、６、７を配置している空間は、図３（ａ）、図３（ｂ）に例示するように複数のバッグを積み重ねることに加え、親バッグ４内と赤血球保存液入りバッグ７内に薬液が入っているため、底からの高さがトレー１５内の他の部位より高くなる。そのため血液フィルタ３は、積み重ねたバッグ４、５、６、７を配置していないトレー１５の空間に配置するのが好ましい。
図２、図３（ａ）に例示している針カバー１０と図２、図３（ｂ）に例示している真空管採血ホルダ９は、トレー１５内の積み重ねたバッグと血液フィルタ３を配置していない空間に配置するのが好ましい。血液フィルタ３と真空管採血ホルダ９と針カバー１０は、硬質部材のハウジングからなるため積み重ねたバッグ４、５、６、７の上に重ねて乗せると、積み重ねたバッグ類４、５、６、７に負担を掛け、バッグ類等のブロッキングやしわが発生する原因となるため、積み重ねたバッグ４、５、６、７を配置していないトレー１５の空間に配置するのが好ましい。
同様に、採血針８とクランプ１１とチューブＴもトレー１５内に積み重ねたバッグ類４、５、６、７、血液フィルタ３、真空採血管ホルダ９、針カバー１０を配置していない空間に配置するのが好ましい。
また吸水紙１７は、図３（ａ）に例示するようにトレー内に敷く。吸水紙１７は、血液フィルタ付血液バッグの包装体１を高圧蒸気滅菌行い、冷却、乾燥した後、血液フィルタ付血液バッグ２の水滴が残りやすい箇所に折り曲げて包むようにトレー１５内に収納するのが好ましい。吸水紙１７は、水分を吸収するものであればどのようなものでもよい。
図５に例示するように血液フィルタ３は、各製品メーカの種類によって、大きさや形状が変化するため、より収納しやすくするために積み重ねたバッグ４、５、６、７と血液フィルタ３の位置を、図２に例示したものと反対に配置してもよい。このとき、積み重ねたバッグ４、５、６、７の一端（チューブＴ接続側）が、トレー１５の内周壁面に接触するように配置することより、トレー１５に血液フィルタ付血液バッグ２を収納しやすくなる。
図５、図６（ａ）に例示している針カバー１０と図５、図６（ｂ）に例示している真空管採血ホルダ９は、トレー１５内の積み重ねたバッグ４、５、６、７と血液フィルタ３を配置していない空間に配置するのが好ましい。また採血針８とクランプ１１とチューブＴも、トレー１５内の重ねたバッグ４、５、６、７、血液フィルタ３、真空採血管ホルダ９、針カバー１０を配置していない空間に配置するのが好ましい。
血液フィルタ付血液バッグの包装体１は、トレー１５に血液フィルタ付血液バッグ２を収納し、包装袋１８で包装した状態で滅菌することができる。このため血液バッグとトレーの無菌保証ができる。さらに使用時に包装袋１８を破り、トレー１５に血液フィルタ付血液バッグ２をコンパクトに収納した状態で取り出せるため、積み重ねたバッグ４、５、６、７や血液フィルタ３等のばらつきがなく操作性に優れる。尚、包装袋１８は、透明または半透明で蒸気が抜けやすいものが好ましい。
【００１１】
［トレー１５］
図４に例示するようにトレー１５は、篭状が好ましく貫通孔１６を複数形成している。トレー１５の材質は、ポリオレフィンなどの硬質または半硬質の合成樹脂が好ましい。貫通孔１６は、血液フィルタ付血液バッグの包装体１を高圧蒸気滅菌した際に蒸気が抜けやすいため包装袋１８内に水滴が残りにくい。貫通孔１６の数は、使用時に包装袋１８を破りトレー１５を取り出す再に、トレー１５の形状が維持できれば何個形成してもよい。
トレー１５は、図２と図５の血液フィルタ付血液バッグの包装体１やトレー１５に入ったバッグの大きさ等を識別するために、トレー１５を青色等で着色して成形、または、トレー１５に文字、数字等の記号を付けたり、シールを貼る等の目印を設けることが好ましい。
【図面の簡単な説明】
【００１２】
【図１】血液フィルタ付血液バッグ２の概略図
【図２】本発明の血液フィルタ付血液バッグの包装体１の平面図
【図３】図２の（ａ）Ａ―Ａ断面の概略図、（ｂ）Ｂ―Ｂ断面の概略図
【図４】トレー１５の実施例を示す概略図
【図５】その他の実施例を示す血液フィルタ付血液バッグの包装体１の平面図
【図６】図５の（ａ）Ｃ―Ｃ断面の概略図、（ｂ）Ｄ―Ｄ断面の概略図
【符号の説明】
【００１３】
１  血液フィルタ付血液バッグの包装体
２  血液フィルタ付血液バッグ
３  血液フィルタ
４  親バッグ
５  第１子バッグ
６  第２子バッグ
７  赤血球保存液入りバッグ
８  採血針
９  真空採血管ホルダ
１０  針カバー
１１  クランプ
１２  連通ピース
１３  分岐管
１４  血液検査用バッグ
１５  トレー
１６  貫通孔
１７  吸水紙
１８  包装袋
【図１】
0003123126.tif 000003
【図２】
0003123126.tif 000004
【図３】
0003123126.tif 000005
【図４】
0003123126.tif 000006
【図５】
0003123126.tif 000007
【図６】
0003123126.tif 000008